(57)【要約】【課題】ブロアモータユニットにおいて、基板の実装面積を確保すると共に２枚の基板を重ねて設置する場合よりも薄型化する。【解決手段】モータ４と、上記モータを駆動させる電子基板５と、上記電子基板５を収容するケーシング２とを備えるブロアモータユニット１であって、上記モータ４は、ブラシレスモータであり、上記電子基板５は、上記ブラシレスモータ４の出力軸４２の軸芯に沿う方向に対して傾斜して配置されている。【選択図】図１
2017158249.tif 000002
【特許請求の範囲】
【請求項１】
モータと、前記モータを駆動させる電子基板と、前記電子基板を収容するケーシングとを備えるブロアモータユニットであって、
前記モータは、ブラシレスモータであり、
前記電子基板は、前記ブラシレスモータの出力軸の軸芯に沿う方向に対して傾斜して配置されていることを特徴とするブロアモータユニット。
【請求項２】
前記電子基板は、
基板表面を前記出力軸の先端側に向けかつ基板裏面を前記出力軸の根元側に向けて配置されると共に、一端側が前記出力軸の根元側に位置しかつ他端側が前記出力軸から離れるにつれて前記出力軸の先端側に位置するように傾斜された回路基板と、
前記回路基板に実装されると共に大きさの異なる複数の電子部品と
を有し、
複数の前記電子部品のうち、前記回路基板からの突出量が相対的に大きな電子部品が、前記回路基板の前記基板裏面側であって前記他端側に寄せて実装されている
ことを特徴とする請求項１記載のブロアモータユニット。
【請求項３】
前記ケーシングの内部に収容されると共に前記ブラシレスモータの固定子と前記回路基板とを保持するベースフレームを有することを特徴とする請求項２記載のブロアモータユニット。
【請求項４】
前記ベースフレームは、前記ブラシレスモータの巻線が挿通される開口部を有することを特徴とする請求項３記載のブロアモータユニット。
【請求項５】
前記電子基板は、前記回路基板から立設され前記開口部に臨む接続端子を有し、
前記巻線の端部は、前記接続端子に直結されている
ことを特徴とする請求項４記載のブロアモータユニット。
【請求項６】
前記電子基板と接続されると共に前記電子基板の熱を排出する放熱部材をさらに備え、
前記放熱部材は、前記基板表面に対して傾斜される方向に立設される
ことを特徴とする請求項２〜５のいずれか一項に記載のブロアモータユニット。
【請求項７】
前記放熱部材は、前記電子部品と当接することを特徴とする請求項６記載のブロアモータユニット。
【請求項８】
前記電子基板は、
前記基板裏面において前記電子部品に当接されている第１サーマルパッドと、前記基板表面において前記放熱部材と当接されている第２サーマルパッドとを有し、
前記第１サーマルパッド及び第２サーマルパッドは、前記回路基板を貫通するように設けられたサーマルホールにより伝熱自在に連結されている
ことを特徴とする請求項６記載のブロアモータユニット。
【請求項９】
前記ケーシングは、
内部にケーシング外側の気体を導入するための導入開口部と、
前記導入開口部から導入された前記気体を外部に排出するための中央開口部と
を有し、
前記電子基板は、前記導入開口部から前記中央開口部へと流れる前記気体の流線中に配置される
ことを特徴とする請求項１〜８のいずれか一項に記載のブロアモータユニット。
【発明の詳細な説明】
【技術分野】
【０００１】
本発明は、ブロアモータユニットに関するものである。
【背景技術】
【０００２】
例えば、特許文献１には、車両用の送風ユニットが開示されている。この送風ユニットは、ブラシ付きモータと、このブラシ付きモータを駆動する駆動回路が搭載されたベース基板と、ブラシ付きモータを制御する制御回路が搭載された制御基板とを備えている。これらのベース基板と制御基板とは、ブラシ付きモータを回避して略扇状に形成され、基板面が出力軸の軸芯に直交するように配列されており、同軸芯に沿った方向から見て重ねて配置されている。
【先行技術文献】
【特許文献】
【０００３】
【特許文献１】特開２００５−６４１３号公報
【発明の概要】
【発明が解決しようとする課題】
【０００４】
ところで、特許文献１に開示されたブロアモータ制御ユニットは、ブロアファンを回転駆動するブロアモータ制御ユニットに対してブラシ付きモータが搭載されていることから、出力軸の軸芯に沿う方向の寸法（高さ寸法）が大きい。これに対して、近年、ブラシ付きモータに換えてブラシレスモータを搭載することにより、ブロアモータ制御ユニットの高さ寸法を抑えてブロアモータ制御ユニットを薄型化する試みがなされている。
【０００５】
しかしながら、特許文献１に開示された構成では、駆動回路が搭載されるベース基板と制御回路が搭載される制御基板とがブラシ付きモータの出力軸の軸芯に沿った方向から見て重ねて配置されている。然るに、特許文献１に開示された送風ユニットにブラシレスモータが搭載される場合には、そのブラシレスモータに対して所謂電子整流を実行するための追加の回路構成も必要とされる。このため、特許文献１の２枚の基板のうち、１枚のみでは、ブラシレスモータに対して電子整流を実行する追加の回路構成を含む制御回路と駆動回路との両方を形成するための充分な実装面積を確保することができない。したがって、ブラシ付きモータに換えてブラシレスモータを搭載することによってもケーシングの内部に２枚の基板を重ねて配置する空間を確保する必要が生じ、ブロアモータユニットを十分に薄型化することができない。
【０００６】
本発明は、上述する問題点に鑑みてなされたもので、ブラシレスモータを搭載するブロアモータユニットにおいて、基板の実装面積を確保すると共に２枚の基板を重ねて設置する場合よりも薄型化することを目的とする。
【課題を解決するための手段】
【０００７】
上記目的を達成するために、本発明では、第１の手段として、モータと、上記モータを駆動させる電子基板と、上記電子基板を収容するケーシングとを備えるブロアモータユニットであって、上記モータは、ブラシレスモータであり、上記電子基板は、上記ブラシレスモータの出力軸の軸芯に沿う方向に対して傾斜して配置されている、という構成を採用する。
【０００８】
第２の手段として、上記第１の手段において、上記電子基板は、基板表面を上記出力軸の先端側に向けかつ基板裏面を上記出力軸の根元側に向けて配置されると共に、一端側が上記出力軸の根元側に位置しかつ他端側が上記出力軸から離れるにつれて上記出力軸の先端側に位置するように傾斜された回路基板と、上記回路基板に実装されると共に大きさの異なる複数の電子部品とを有し、複数の上記電子部品のうち、上記回路基板からの突出量が相対的に大きな電子部品が、上記回路基板の上記基板裏面側であって上記他端側に寄せて実装されている、という構成を採用する。
【０００９】
第３の手段として、上記第２の手段において、上記ケーシングの内部に収容されると共に上記ブラシレスモータの固定子と上記回路基板とを保持するベースフレームを有する、という構成を採用する。
【００１０】
第４の手段として、上記第３の手段において、上記ベースフレームは、上記ブラシレスモータの巻線が挿通される開口部を有する、という構成を採用する。
【００１１】
第５の手段として、上記第４の手段において、上記電子基板は、上記回路基板から立設され上記開口部に臨む接続端子を有し、上記巻線の端部は、上記接続端子に直結されている、という構成を採用する。
【００１２】
第６の手段として、上記第２〜第５のいずれかの手段において、上記電子基板と接続されると共に上記電子基板の熱を排出する放熱部材をさらに備え、上記放熱部材は、上記基板表面に対して傾斜される方向に立設される、という構成を採用する。
【００１３】
第７の手段として、上記第６の手段において、上記放熱部材は、上記電子部品と当接する、という構成を採用する。
【００１４】
第８の手段として、上記第６の手段において、上記電子基板は、上記基板裏面において上記電子部品に当接されている第１サーマルパッドと、上記基板表面において上記放熱部材と当接されている第２サーマルパッドとを有し、上記第１サーマルパッド及び第２サーマルパッドは、上記回路基板を貫通するように設けられたサーマルホールにより伝熱自在に連結されている、という構成を採用する。
【００１５】
第９の手段として、上記第１〜第８の手段において、上記ケーシングは、内部にケーシング外側の気体を導入するための導入開口部と、上記導入開口部から導入された上記気体を外部に排出するための中央開口部とを有し、上記電子基板は、上記導入開口部から上記中央開口部へと流れる上記気体の流線中に配置される、という構成を採用する。
【発明の効果】
【００１６】
本発明によれば、電子基板がブラシレスモータの出力軸の軸芯に沿う方向（以下、軸芯方向）に対して傾斜して配置されている。このため、２枚の電子基板を出力軸の軸芯方向に重ねて配置する場合と比較して、ブロアモータユニットを薄型化することができる。さらに、電子基板を出力軸の軸芯と直交させて配置する場合と比較して、出力軸の径方向に大型化させることなく実装面積を増加させることができる。したがって、本発明によれば、ブロアモータユニットにおいて、基板の実装面積を確保すると共に２枚の基板を重ねて設置する場合よりも薄型化することが可能となる。
【図面の簡単な説明】
【００１７】
【図１】本発明の一実施形態に係るブロアモータユニットを含む断面図である。
【図２】本発明の一実施形態における回路基板の正面図である。
【図３】本発明の一実施形態における放熱部材及び回路基板を含む断面拡大図である。
【図４】本発明の一実施形態における電子部品及び放熱部材の配置の変形例を示す断面拡大図である。
【発明を実施するための形態】
【００１８】
以下、図面を参照して、本発明に係るブロアモータユニットの一実施形態について説明する。
送風機Ａは、車両用空調装置を構成するダクトの一部に配設される。ダクトには、ブロアモータユニット１が装着される装着部と、装着部の上部に開口する空気吸入口と、下流側（図１における左方向）を指向する空気送出口とが設けられるスクロール形状のファンケースが連設される。ブロアモータユニット１は、不図示のブラケットを介して装着部に装着されるモータ４と、モータ４の出力軸４２に固定され、ファンケース内に回転可能に配設されるインペラＢとを備える。インペラＢは、その外周部に多数のブレードを有する遠心ファンであり、出力軸４２を介してブロアモータユニット１により回転されることで空気吸入口から空気を吸入し、空気送出口を介して送風する。
なお、以下の説明においては、ブロアモータユニット１に対してインペラＢが取り付けられている側を上側として表記している。
【００１９】
ケーシング２は、図１に示すように、上側ケーシング部２Ａと下側ケーシング部２Ｂとが固定されることで形成されており、ケーシング部２０及び気体案内部２１を有する。ケーシング部２０は、扁平な略円筒形の容器状の部位であり、内部に電子基板５、モータ４及び放熱部材６が収容されている。このケーシング部２０は、略円形の上面部２０ａと、周面部２０ｂと、略円形の底面部２０ｃを有する。ケーシング部２０は、中央開口部２０ｄと、放熱部材露出開口部２０ｅとを有している。
【００２０】
中央開口部２０ｄは、上面部２０ａの中央部に形成された開口であり、モータ４の後述する回転子４１が収容されると共に回転子４１を露出状態とする。放熱部材露出開口部２０ｅは、放熱部材６に対応する位置に形成される開口であり、放熱部材６の上部をケーシング２の外部に突出させるために設けられている。また、ケーシング部２０は、周面部２０ｂに気体案内部２１が接続される開口が形成されている。
【００２１】
気体案内部２１は、図１に示すように、上側に向けて屈曲された配管状の部位であり、一端がケーシング部２０の周面部２０ｂに形成された開口と接続している。また、気体案内部２１は、他端に導入開口部２１ａを有している。導入開口部２１ａは、インペラＢが配置される上方に向けて形成されている。この導入開口部２１ａは、外気をケーシング２の内部に取り込むための開口である。このような気体案内部２１は、インペラＢによって発生した気体の流れの一部を取り込み、ケーシング部２０内に外気を流入させる。
【００２２】
なお、このような形状のケーシング２は、周面部２０ｂにおいて上下に二分割された上側ケーシング部２Ａ及び下側ケーシング部２Ｂを組み合わせることにより形成されている。上側ケーシング部２Ａは上面部２０ａを含む上側の部材であり、下側ケーシング部２Ｂは、底面部２０ｃを含む下側の部材である。
【００２３】
図１に示すように、ベースフレーム３は、ケーシング２の内部に設けられた部材であり、モータ４、電子基板５、及び放熱部材６を支持する。なお、モータ４及び放熱部材６はベースフレーム３の上側ケーシング部２Ａ側の面（以下、フレーム表面と称する）に取り付けられ、電子基板５は、ベースフレーム３の下側ケーシング部２Ｂ側の面（以下、フレーム裏面と称する）に取り付けられている。このようなベースフレーム３は、モータ保持部３１、放熱部材固定部３２、開口部３３、下側軸受保持部３４及び傾斜部３５を有している。
【００２４】
モータ保持部３１は、後述するモータ４の固定子４０が固定される部位である。放熱部材固定部３２は、放熱部材６が挿通される開口が形成され、放熱部材６が固定される部位である。開口部３３は、モータ保持部３１と傾斜部３５とにまたがって配置されているフレーム表面とフレーム裏面とを連通する孔であり、後述するモータ４の巻線４０ａが挿通されている。また、この開口部３３は、下側ケーシング部２Ｂとベースフレーム３との間に流入した空気の流れが中央開口部２０ｄに向かうことを阻害しない。下側軸受保持部３４は、後述するモータ４の出力軸４２を軸支する下側軸受４３ｂが配置される窪みであり、モータ保持部３１のフレーム裏面であって、出力軸４２が挿通される位置に形成されている。傾斜部３５は、出力軸４２の根元の位置よりケーシング２の導入開口部２１ａ側を指向するように形成され、出力軸４２の軸芯に沿う方向に対して傾斜している部位である。この傾斜部３５には、フレーム裏面側に電子基板５、フレーム表面側に放熱部材６がそれぞれ固定されている。
【００２５】
モータ４は、ベースフレーム３に固定された３相交流のブラシレスモータである。このモータ４は、図１に示すように、固定子４０、回転子４１、出力軸４２及び回転支持部４３を備えている。固定子４０は、ベースフレーム３のモータ保持部３１に配置されている。この固定子４０は、巻線４０ａを有し、磁界を形成する部材である。また、固定子４０は、ベースフレーム３の通風孔と重なる位置において、気体流路が形成されている。巻線４０ａは、巻回された金属製の細線であり、表面が絶縁物質によって被覆されている。この巻線４０ａは、開口部３３に挿通され、電子基板５と接続されている。
【００２６】
回転子４１は、固定子４０の外側に回転可能に設けられた部材（アウターローター）である。この回転子４１は、固定子４０によって形成される磁界に引っ張られることで回転される。また、回転子４１は、気体流路に対応する位置において不図示の通風開口が形成されている。出力軸４２は、固定子に挿通されると共に回転子４１に圧入固定されており、図１に示すように、インペラＢと接続している。この出力軸４２は、モータ４で生成された回転動力をインペラＢへと伝達する。回転支持部４３は、出力軸４２の先端側を軸支する上側軸受４３ａが内側に配置される筒状の部材であり固定子４０に圧入され、下側軸受保持部３４の上方（フレーム表面側）より下側軸受保持部３４と同軸にモータ保持部３１に取り付けられている。さらに、下側軸受保持部３４には下側軸受４３ｂが配置されている。これにより、出力軸４２はベースフレーム３に回転可能に支持されている。
【００２７】
図２は、本実施形態における電子基板５の正面図である。電子基板５は、モータ４に対してＰＷＭ制御された駆動電流を供給するための複数のコンデンサやスイッチング素子等の大きさの異なる電子部品５Ｂを備える駆動回路と、不図示のプログラミング可能な制御素子（ＣＰＵ）とを備えている。また、電子基板５は、スイッチング素子に接続されると共に制御信号をスイッチング素子に供給する制御回路と、これら回路の配線を有する回路基板５Ａとを有している。なお、図２では、一部の電子部品のみを図示しており、他の電子部品の図示を省略している。
【００２８】
回路基板５Ａは、出力軸４２側を弦、周面部２０ｂ側を弧とする略半円状をしている。この回路基板５Ａは、弦を形成する端部（一端側）を下側、弧を形成する端部（他端側）を上側とする方向に傾斜して配置されている。すなわち、図１に併せて示すように、回路基板５Ａは、その一端側が出力軸４２の根元側に向けて配置され、他端側が出力軸４２から離れるにつれて出力軸４２の先端側に位置するように導入開口部２１ａ側へと向けて配置されている。さらに、回路基板５Ａは、ケーシング２の内部においてモータ４の出力軸４２に対して偏心して配置されている。これにより、ケーシング２の内部には、下側ケーシング部２Ｂと回路基板５Ａとに囲まれ、側面視において回路基板５Ａを斜辺とした三角形状の空間Ｋが形成されている。これにより、電子基板５は、導入開口部２１ａから中央開口部２０ｄへと流れる気体の流線中に配置されている。また、回路基板５Ａは、出力軸４２の根元側近傍にベースフレーム３の開口部３３と対応する切欠部５０が形成されており、回路基板５Ａの下側 の面（以下、基板裏面と称する）に立設し切欠部５０に突出するよう配置される接続端子５１を備えている。接続端子５１には、モータ４の巻線４０ａの端部が電着により直結されている。なお、この切欠部５０も、前述の開口部３３と同様に下側ケーシング部２Ｂとベースフレーム３との間に流入した空気の流れが中央開口部２０ｄに向かうことを阻害しない。なお、制御回路は、回転検出センサを要さないセンサレス制御方式である。これにより、電子基板５は、出力軸４２の近傍に出力軸４２の回転角度状態を検出するための回転角度検出器を備える必要がなく、したがって、出力軸４２の根元側近傍に切欠部５０を容易に形成可能である。
【００２９】
この回路基板５Ａに実装された電子部品５Ｂにおいて、コンデンサ等は、回路基板５Ａからの突出量が大きいため、電子基板５の基板裏面であって、電子基板５の弧を形成する端部近傍に寄せて配置されている。すなわち、コンデンサ等は、ケーシング２の内部において前述の回路基板５Ａを斜辺とした三角形状の空間Ｋに配置されている。
【００３０】
図３は、放熱部材６及び電子基板５を含む断面拡大図である。電子基板５のスイッチング素子等（以下、発熱電子部品５Ｂ１と称する）は、本実施形態に係るブロアモータユニット１の駆動時に、熱の発生源となる。このような発熱電子部品５Ｂ１が配置されている位置において、回路基板５Ａは、サーマルホール５２及びサーマルパッド５３を有している。
【００３１】
サーマルパッド５３は、前述の三角形状の空間Ｋに面しており、発熱電子部品５Ｂ１が実装される第１サーマルパッド５３ａと、放熱部材６と熱的に接続される第２サーマルパッド５３ｂとを有している。サーマルホール５２は、回路基板５Ａを貫通するように設けられて第１サーマルパッド５３ａと第２サーマルパッド５３ｂとを熱的につなぐ部材であり、例えば、はんだや銅材（ビア）等の低熱抵抗の部材によって密実に充填されることにより熱伝導容易に構成される。
【００３２】
放熱部材６は、三角形状の空間Ｋの上方に配置され、不図示の固定部を介してベースフレーム３のフレーム表面側に固定される。この放熱部材６は、ケーシング部２０の上面部２０ａに設けられた放熱部材露出開口部２０ｅから外部へと上端部６０が露出している。また、放熱部材６は、ケーシング２の内部に傾斜して配置されている回路基板５Ａの基板表面に沿うような傾斜面に形成された下端部６０ａが設けられている。このような下端部６０ａは、放熱部材固定部３２に挿通され、フレーム裏面側において回路基板５Ａの第２サーマルパッド５３ｂと熱的に接続される。これにより、放熱部材６は、発熱電子部品５Ｂ１の熱をケーシング２の外部へと排出することができる。なお、下端部６０ａには、熱伝導シートやサーマルグリス等の補助伝熱部材が添設されてもよい。この場合、放熱部材６と第２サーマルパッド５３ｂとが補助伝熱部材により密着され、熱伝達が良好となる。
【００３３】
図４は、本発明に係る電子部品５Ｂ及び放熱部材６の配置の変形例を示す断面拡大図である。この図に示すように、特に発熱量の大きい発熱電子部品５Ｂ１を回路基板５Ａの基板表面側に配置し、この発熱電子部品５Ｂ１と放熱部材６とが当接するようにしてもよい。なお、この場合、サーマルホール５２及びサーマルパッド５３は設けられず、放熱部材６と発熱電子部品５Ｂ１との間には熱伝導シート等の補助伝熱部材が介挿される。図４の構成とすると、基板裏面側において電子部品５Ｂを実装可能な実装可能面積には余裕ができる。したがって、残余の電子部品５Ｂ（たとえば、回路基板５Ａからの突出量が大きいコンデンサ等）を基板裏面側に容易に配置することができる。
【００３４】
このようなブロアモータユニット１が備えられた送風機Ａでは、電子基板５による通電制御下にモータ４が駆動を開始されると、回転子４１に伴って出力軸４２が回転され、インペラＢが回転される。インペラＢが回転されるとインペラＢの周囲には気流が発生する。図１に示すように、この気体の一部が導入開口部２１ａより、ブロアモータユニット１内部へと流入する。導入開口部２１ａより流入した気体は、気体案内部２１を通過し、電子基板５と下側ケーシング部２Ｂによって形成される空間Ｋに流入する。このとき、電子基板５と下側ケーシング部２Ｂによって形成される空間Ｋに発熱電子部品５Ｂ１が配置されている。したがって、電子部品５Ｂは、気体に多く接触し、効率よく冷却される。
【００３５】
さらに、電子基板５と下側ケーシング部２Ｂによって形成される空間Ｋに流入した気体は、電子基板５の切欠部５０から、ベースフレーム３の開口部３３を通過して、モータ４へと流入する。モータ４に流入した気体は、気体流路を通過し、中央開口部２０ｄよりケーシング２の外部へと排出される。外部に排出された気体は、ケーシング２の上面部２０ａに沿って流れるため、放熱部材６の上端部６０に接触する。ここで、発熱電子部品５Ｂ１から発生した熱は、第１サーマルパッド５３ａによりサーマルホール５２へと伝導される。さらに、サーマルホール５２に伝導された熱は、第２サーマルパッド５３ｂより放熱部材６へと伝導される。放熱部材６は、放熱部材６に接触した気体により冷却される。
【００３６】
このような本実施形態のブロアモータユニット１によれば、モータ４はブラシレスモータである。このブラシレスモータは、モータ内にブラシを設けないため、ブラシ付きモータと比較して小型化することができる。さらに、電子基板５は、出力軸４２の軸芯に沿う方向に対して傾斜して配置されている。これにより、ブロアモータユニット１を小型化することができる。
【００３７】
また、本実施形態のブロアモータユニット１によれば、電子基板５は、一端側が出力軸４２の根元側に位置し他端側が出力軸４２から離れるにつれて出力軸４２の先端側に位置するようにブラシレスモータの出力軸の軸芯に沿う方向に対して傾斜して配置された回路基板５Ａを有している。さらに、電子基板５は、回路基板５Ａに実装されるとともに大きさの異なる複数の電子部品５Ｂとを有している。これら複数の電子部品５Ｂのうち、基板からの突出量が相対的に大きな電子部品５Ｂは、回路基板５Ａにおいて他端側に寄せられて、ケーシング２の周面部２０ｂの近傍に配置されている。これにより、コンデンサ等、回路基板５Ａからの突出量が大きい電子部品５Ｂは、電子基板５と下側ケーシング部２Ｂによって形成される側面視三角形の空間Ｋに配置される。したがって、ブロアモータユニット１は、回路基板５Ａに電子部品５Ｂを無駄なく配置することが可能であり、これによっても、ブロアモータユニット１を小型化することができる。
【００３８】
また、本実施形態のブロアモータユニット１は、モータ４の固定子４０と回路基板５Ａとを保持するベースフレーム３を備えている。これにより、ケーシング２の内側に、電子基板５を自在に配置することができる。さらに、ベースフレーム３は、モータ４の巻線４０ａの端部が挿通される開口部３３を備えている。したがって、ベースフレーム３に保持されたモータ４の固定子４０と回路基板５Ａとを容易に接続することができる。これによっても、ケーシング２の内側に、電子基板５を自在に配置することができる。
【００３９】
また、本実施形態のブロアモータユニット１によれば、電子基板５の接続端子に、モータ４の巻線４０ａが直結されている。すなわち、材質や形状の違いに起因して異なる振動モードで振動する固定子４０と電子基板５とが、可撓性を有する巻線４０ａで直結されている。これにより、固定子４０と電子基板５との間に振動モードの差異を吸収する防振部材等を設ける必要がない。したがって、ブロアモータユニット１の部品点数を減らすことができ、これによっても、ブロアモータユニット１を小型化することができる。
【００４０】
また、本実施形態のブロアモータユニット１によれば、放熱部材６は、電子基板５と熱的に接続されると共に、電子基板５に沿って斜めに形成された下端部６０ａを有している。これにより、ケーシング部２０の上面部２０ａに設けられた放熱部材露出開口部２０ｅから外部へと上端部６０が露出している放熱部材６は、傾斜して配置された電子基板５に対して容易に熱的に接続される。したがって、電子基板５から発生した熱を効率的にケーシング２の外部に排出することができる。
【００４１】
また、本実施形態のブロアモータユニット１によれば、特に発熱量の大きい発熱電子部品５Ｂ１を回路基板５Ａの基板表面側に配置し、この発熱電子部品５Ｂ１と放熱部材６とが当接するようにしてもよい。これにより、回路基板５Ａからの突出量が大きいコンデンサ等を基板裏面側に容易に配置することができる。
また、本実施形態のブロアモータユニット１によれば、電子基板５は、基板裏面側で電子部品に接続されている第１サーマルパッド５３ａと、基板表面側で放熱部材６と当接されている第２サーマルパッド５３ｂとを有し、これらサーマルパッド５３は、回路基板５Ａを貫通するように設けられたサーマルホール５２により伝熱自在に連結されている。これにより、発熱電子部品５Ｂ１にて発生した熱を放熱部材６へと伝導することができる。したがって、これによっても、効率的に電子基板５の熱を排出することができる。
【００４２】
また、本実施形態のブロアモータユニット１は、導入開口部２１ａ及び中央開口部２０ｄを有しており、導入開口部２１ａから中央開口部２０ｄへと流れる気体の流線中に電子基板５が配置されている。これにより、電子基板５は、モータ４の駆動中に、常に気体と接触することができる。したがって、これによっても、効率的に電子基板５の熱を排出することができる。
【００４３】
なお、本発明は上記実施形態に限定されるものではなく、例えば以下のような変形例が考えられる。
（１）上記実施形態においては、サーマルホール５２は、第１サーマルパッド５３ａと第２サーマルパッド５３ｂとを連結する一本の柱状に配置されているものとしたが、本発明はこれに限定されない。サーマルホール５２は、複数設けられるものとしてもよい。
【００４４】
（２）上記実施形態においては、電子基板５は、ベースフレーム３の傾斜部３５に固定されているものとしたが、本発明はこれに限定されない。電子基板５は、一端をベースフレーム３に固定されると共に、他端をベースフレーム３における固定位置よりも軸芯方向において上側にてケーシング２の周面部２０ｂに固定されることにより、傾斜して配置されるものとしてもよい。
【符号の説明】
【００４５】
１…ブロアモータユニット、２…ケーシング、３…ベースフレーム、３３…開口部、３５…傾斜部、４…モータ、４２…出力軸、５…電子基板、５Ａ…回路基板、５Ｂ…電子部品、５０…切欠部、５１…接続端子、５２…サーマルホール、５３…サーマルパッド、６…放熱部材
【図１】
2017158249.tif 000003
【図２】
2017158249.tif 000004
【図３】
2017158249.tif 000005
【図４】
2017158249.tif 000006